(57)【要約】  真贋判定可能な積層体を低コストで提供する。  セキュリティ用紙１は、上面側が観察側でありベース層３１と文字Ａの画像を有する光輝層３２と光輝層３２よりも上側Ｚ２に積層され文字Ｂの画像を有する透明光沢層３３とを有する情報担持スレッド３と、情報担持スレッド３を保持する基紙２とを備える。
2016031450.tif 000002
【特許請求の範囲】
【請求項１】
上面側が観察側であり、ベース層と、第１の画像を有する光輝層と、前記光輝層よりも上側に積層され第２の画像を有する透明光沢層とを有する真贋判定用の画像担持体と、
前記画像担持体を保持する保持層と、
を備える積層体。
【請求項２】
請求項１に記載の積層体において、
前記第１の画像及び前記第２の画像のうち、前記第１の画像のみを判別可能な観察態様と、前記第２の画像のみを判別可能な観察態様とを有すること、
を特徴とする積層体。
【請求項３】
請求項１又は請求項２に記載の積層体において、
前記画像担持体は、
前記保持層に抄きこまれており、
前記観察側から見たときに、前記保持層から表出した表出部と、前記保持層に覆われた被覆部とを有すること、
を特徴とする積層体。
【請求項４】
請求項１から請求項３のいずれかに記載の積層体において、
前記ベース層は、前記光輝層よりも下側に積層されていること、
を特徴とする積層体。
【請求項５】
請求項１から請求項３のいずれかに記載の積層体において、
前記ベース層は、
透明であり、
前記透明光沢層よりも上側に積層されていること、
を特徴とする積層体。
【請求項６】
請求項１から請求項３のいずれかに記載の積層体において、
前記ベース層は、
透明であり、
前記光輝層と前記透明光沢層との間に積層されていること、
を特徴とする積層体。
【発明の詳細な説明】
【技術分野】
【０００１】
本発明は、真贋判定可能な積層体に関する。
【背景技術】
【０００２】
従来、ホログラム画像等を有するスレッドを、紙材に抄きこんだセキュリティ用紙があった（例えば、特許文献１参照）。抄きこみ加工は、特殊な技術が必要であるので、このようなセキュリティ用紙は、偽造されにくい。
【先行技術文献】
【特許文献】
【０００３】
【特許文献１】特公平５−８５６８０号公報
【発明の概要】
【発明が解決しようとする課題】
【０００４】
しかし、ホログラム画像等を有するスレッドは、高コストであるため、これを利用したスレッド用紙も、高コストになってしまう。
本発明は、真贋判定可能な積層体を低コストで提供することを目的とする。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。【０００６】
・第１の発明は、上面側が観察側であり、ベース層と、第１の画像を有する光輝層と、前記光輝層よりも上側に積層され第２の画像を有する透明光沢層とを有する真贋判定用の画像担持体と、前記画像担持体を保持する保持層と、を備える積層体である。
・第２の発明は、第１の発明の積層体において、前記第１の画像及び前記第２の画像のうち、前記第１の画像のみを判別可能な観察態様と、前記第２の画像のみを判別可能な観察態様とを有すること、を特徴とする積層体である。
・第３の発明は、第１又は第２の発明の積層体において、前記画像担持体は、前記保持層に抄きこまれており、前記観察側から見たときに、前記保持層から表出した表出部と、前記保持層に覆われた被覆部とを有すること、を特徴とする積層体である。
・第４の発明は、第１から第３のいずれかの発明の積層体において、前記ベース層は、前記光輝層よりも下側に積層されていること、を特徴とする積層体である。
・第５の発明は、第１から第３のいずれかの発明の積層体において、前記ベース層は、透明であり、前記透明光沢層よりも上側に積層されていること、を特徴とする積層体である。
・第６の発明は、第１から第３のいずれかの発明の積層体において、前記ベース層は、透明であり、前記光輝層と前記透明光沢層との間に積層されていること、を特徴とする積層体である。
【発明の効果】
【０００７】
本発明によれば、真贋判定可能な積層体を低コストで提供できる。
【図面の簡単な説明】
【０００８】
【図１】第１実施形態のセキュリティ用紙１を示す図である。
【図２】第１実施形態のセキュリティ用紙１の断面図である。
【図３】第１実施形態の光輝層３２、透明光沢層３３の印刷内容を説明する図である。
【図４】第１実施形態の情報担持スレッド３の見え方を説明する図である。
【図５】第２実施形態のセキュリティ用紙２０１の表出部４近傍の断面図である。
【図６】第３実施形態のセキュリティ用紙３０１の表出部４近傍の断面図である。
【発明を実施するための形態】
【０００９】
（実施形態）
以下、図面等を参照して、本発明の実施形態について説明する。
（第１実施形態）
図１は、第１実施形態のセキュリティ用紙１を示す図である。
図１（Ａ）は、セキュリティ用紙１を上側Ｚ２から見た図である。
図１（Ｂ）は、図１（Ａ）のＢ−Ｂ断面図である。
図１（Ｃ）は、上側Ｚ２から見た表出部４近傍の拡大図である。
図２は、第１実施形態のセキュリティ用紙１の断面図である。
図２（Ａ）は、表出部４近傍の断面図（図１（Ｃ）の２Ａ−２Ａ断面図）である。
図２（Ｂ）は、被覆部５近傍の断面図（図１（Ｃ）の２Ｂ−２Ｂ断面図）である。
図３は、第１実施形態の光輝層３２、透明光沢層３３の印刷内容を説明する図である。
図３は、光輝層３２、透明光沢層３３のそれぞれ１文字分に対応した領域を、拡大して図示した。
実施形態、図面では、説明と理解を容易にするために、適宜、ＸＹＺ直交座標系を示す。この座標系は、図１（Ａ）の状態を基準に、左右方向Ｘ（左側Ｘ１、右側Ｘ２）、縦方向Ｙ（下側Ｙ１、上側Ｙ２）、厚さ方向Ｚ（下側Ｚ１、上側Ｚ２）を表す。
【００１０】
（セキュリティ用紙１の構成）
図１に示すように、実施形態では、セキュリティ用紙１（積層体）として、有価証券を例にして説明する。
セキュリティ用紙１は、基紙２（保持層）と、その基紙２に抄きこまれた情報担持スレッド３（真贋判定用の画像担持体）とを有する。
基紙２は、セキュリティ用紙１のベースとなる紙材である。基紙２は、情報担持スレッド３が抄きこまれることにより、情報担持スレッド３を保持する。
【００１１】
情報担持スレッド３は、縦方向Ｙに長い帯状の部材である。情報担持スレッド３は、基紙２の左右方向Ｘの一部の範囲に、縦方向Ｙに延在している。
情報担持スレッド３は、セキュリティ用紙１を真贋判定するめの画像情報を有する。後述するように、情報担持スレッド３は、観察する角度等に応じて異なる画像が観察される。このため、情報担持スレッド３は、ホログラムと似たように、観察される。
実施形態では、この画像として複数の文字が、縦方向Ｙに配列されている。
セキュリティ用紙１を上側Ｚ２から見ると、情報担持スレッド３は、基紙２から表出している表出部４（図２（Ａ）参照）と、基紙２に覆われている被覆部５（図２（Ｂ）参照）とを有する。これらは、交互に配置されている。１つの表出部４、１つの被覆部５を１組として、複数組みが縦方向Ｙに連続して配置されている。
【００１２】
情報担持スレッド３は、例えば特許第４６０４２０９号公報に記載された主要な構成を有する。すなわち、情報担持スレッド３は、以下の構成である。
図２（Ａ）に示すように、情報担持スレッド３は、ベース層３１と、光輝層３２と、透明光沢層３３とが、下側Ｚ１から上側Ｚ２に、この順番で積層されている。
ベース層３１は、情報担持スレッド３の基材である。ベース層３１は、帯状の部材である。ベース層３１の厚さは、例えば１６μｍ程度である。
実施形態では、ベース層３１としてＰＥＴ（ポリエチレン  テレフタラート）の樹脂シート材を用いるが、これに限定されない。ベース層３１は、光輝層３２等の印刷層を担持できればよく、例えば、白色用紙、上質紙、コート紙、プラスチックカード等でもよい。
【００１３】
光輝層３２は、ベース層３１の上側全面に形成される。光輝層３２は、光沢インキをベース層３１に印刷することにより、形成される。光沢インキは、アルミニウム粉末、銅粉末、亜鉛粉、錫粉、リン化鉄等を成分とする光輝性材料を含む。光沢インキは、銀色、青味金色、赤味金色等の色彩を有する。
光輝層３２は、光沢インキが網点印刷されることにより、形成される。光輝層３２は、印刷領域間の網点面積率の差によって、色彩の濃淡を表現する。これにより、光輝層３２は、文字、図形、模様等を表現する。
なお、網点面積率とは、単位面積当たり網点が占める割合をいう。
また、実施形態では、「文字」の概念は、文字の形状を含む。さらに、「画像」の概念は、文字の形状を印刷等によって媒体に定着させたものを含む。
【００１４】
図３（Ａ）に示すように、上側Ｚ２から見た状態で、光輝層３２は、Ａ画像部３２ａ、Ａ背景部３２ｂを備える。
Ａ画像部３２ａの形状は、文字「Ａ」の形状である。
Ａ背景部３２ｂは、Ａ画像部３２ａの背景となる印刷領域である。
これにより、光輝層３２は、画像（第１の画像）として、文字「Ａ」を有する。
Ａ画像部３２ａの網点面積率は、Ａ背景部３２ｂの網点面積率よりも高い。網点面積率は、以下のように設定されている。
Ａ画像部３２ａ：１００％（つまり、ベタ印刷）
Ａ背景部３２ｂ：５０〜８０％
両者の網点面積率の差：２０〜５０％
【００１５】
なお、網点面積率は、後述する観察態様において、文字「Ａ」が認識できれば、上記設定に限定されない。網点面積率は、例えば、以下の形態でもよい。
・網点面積率を上記設定とは逆にすることにより、Ａ背景部３２ｂの網点面積率を、Ａ画像部３２ａの網点面積率をよりも高くしてもよい。
・Ａ画像部３２ａの網点面積率は、１００％以下であってもよい。
・Ａ背景部３２ｂの網点面積率は、５０〜８０％以外であってもよい。
このＡ背景部３２ｂの網点面積率は、画像の見えやすさ等に応じて、５０〜８０％内のいずれかの数値に設定できる。なお、Ａ背景部３２ｂの網点面積率は、いずれかの固定の数値にするのではなく、Ａ背景部３２ｂの領域内において５０〜８０％の範囲で変えてもよい。この場合には、拡散反射領域θ１（後述する）において、Ａ背景部３２ｂ内において、陰影、絵柄等の画像を表現できる。
【００１６】
透明光沢層３３は、光輝層３２の上側全面に形成される。透明光沢層３３は、透明インキを、光輝層３２上に印刷することにより形成される。透明インキは、透明であり、かつ、印刷後には光沢感がある。透明光沢層３３のインキは、例えばマットＯＰニスといった、透明ニス、インキワニス、透明インキ、メジウムインキ等である。なお、インキは、紫外線硬化型インキ、酸化重合型インキ、浸透型インキ、加熱乾燥インキ、蒸発乾燥インキ等であってもよい。
透明光沢層３３は、透明インキが網点印刷されることにより、形成される。透明光沢層３３は、印刷領域間の網点面積率の差によって、印刷領域間の反射光量の差を有する。これにより、透明光沢層３３は、文字、図形、模様等を表現する。
図３（ｂ）に示すように、上側Ｚ２から見た状態で、透明光沢層３３は、Ｂ画像部３３ａ、Ｂ背景部３３ｂを備える。
Ｂ画像部３３ａの形状は、文字「Ｂ」の形状である。Ｂ画像部３３ａと、Ａ画像部３２ａとは、重なっている（図１（Ｃ）参照）。
Ｂ背景部３３ｂは、Ｂ画像部３３ａの背景となる印刷領域である。
これにより、透明光沢層３３は、画像（第２の画像）として、文字「Ｂ」を有する。
【００１７】
Ｂ画像部３３ａの網点面積率は、Ｂ背景部３３ｂの網点面積率よりも高い。網点面積率は、以下の通りである。
・Ｂ画像部３３ａ：１００％（つまり、ベタ印刷）
・Ｂ背景部３３ｂ：２５％
両者の網点面積率の差：７５％
ただし、この割合も一例であって、両者の網点面積率の差によって、文字「Ｂ」が認識できれば、これに限定されない。網点面積率は、例えば、以下の形態でもよい。
・網点面積率を上記設定とは逆にすることにより、Ｂ背景部３３ｂの網点面積率を、Ｂ画像部３３ａの網点面積率をよりも高くしてもよい。
・Ｂ画像部３３ａの網点面積率は１００％以下であってもよい。
・Ｂ背景部３３ｂの網点面積率は、２５％以上でも以下であってもよい。
【００１８】
なお、実施形態では、透明光沢層３３のＢ画像部３３ａとＢ背景部３３ｂとの網点面積率の差（７５％）は、光輝層３２のＡ画像部３２ａとＡ背景部３２ｂとの網点面積率の差（２０〜５０％）よりも大きい例を示すが、これに限定されない。前者は、後者よりも小さくてもよい。
【００１９】
（製造方法）
セキュリティ用紙１の製造方法について説明する。
セキュリティ用紙１は、予め製造しておいた情報担持スレッド３を、紙材に抄きこむことにより、製造される。なお、情報担持スレッド３の製造方法は、例えば特許第４６０４２０９号公報に詳細に記載されている。
セキュリティ用紙１は、以下の工程に従って製造できる。
（１）光輝層３２の形成
ベース層３１の上側全面に、光沢インキをグラビア印刷することにより、光輝層３２を形成する。
【００２０】
（２）透明光沢層３３の形成
光輝層３２の上側全面に、光沢感のあるインキ等をグラビア印刷することにより、透明光沢層３３を形成する。
なお、（１）、（２）の印刷工程は、グラビア印刷に限定されず、例えば、ウェットオフセット印刷、ドライオフセット印刷、凸版印刷、水無平版印刷、フレキソ印刷、スクリーン印刷、凹版印刷等であってもよい。
（１）、（２）により、情報担持スレッド３を製造することができる。
【００２１】
（３）情報担持スレッドの抄きこみ
このように製造された情報担持スレッド３を、紙料液に抄きこむ。この紙料液は、基紙２となる部材である。
その後、基紙２に絵柄等を印刷することにより、セキュリティ用紙１を製造できる。
【００２２】
なお、情報担持スレッド３の抄きこみ方法は、種々の方法が可能である。
抄きこみ方法は、例えば特公平５−８５６８０号公報に記載の方法を用いることができる。この方法では、多筒式抄紙機の抄き網部上に、情報担持スレッド３と同じ幅の凸部、又は情報担持スレッド３よりも幅が広い凸部を設ける。そして、この凸部の上に情報担持スレッド３を載せた状態で紙料液を供給する。この方法によると、凸部がない位置では、情報担持スレッド３の両面に紙料液が供給されるので、被覆部５が形成される。一方、凸部がある位置では、情報担持スレッド３の一方側の面及び凸部が接触するので、この一方側の面側に、表出部４が形成される。
【００２３】
（観察態様）
図４は、第１実施形態の情報担持スレッド３の見え方を説明する図である。
図４の左側には、拡散反射領域θ１での見え方を説明する。
図４の右側には、正反射領域θ２（鏡面反射領域ともいう）での見え方を説明する。
情報担持スレッド３の表出部４は、外部に露出しており、一方、被覆部５は、基紙２に覆われている（図１参照）。このため、観察者は、セキュリティ用紙１を、観察側である上面側から観察すると、表出部４のみから情報担持スレッド３を視認できる。以下の説明では、情報担持スレッド３の表出部４を、単に情報担持スレッド３ともいう。
透明光沢層３３の印刷内容は、透明光沢層３３が露出しているので直接観察できるのに対して、光輝層３２の印刷内容は、透明な透明光沢層３３を透過して観察できる。
情報担持スレッド３の観察態様は、特許第４６０４２０９号公報に詳細に記載されている。
図４の例では、２つの拡散反射領域θ１が、正反射領域θ２を挟むように存在する。なお、拡散反射領域θ１の端部と、正反射領域θ２の端部とは、重なっていてもよい。
【００２４】
（拡散反射領域θ１での見え方）
・図４（Ａ１）：光輝層３２
拡散反射領域θ１では、光源から光は、光輝層３２の上面で、拡散反射する。このため、拡散反射領域θ１の視点に届く反射光量は、正反射領域θ２に比較すると、小さい。
反射光量が小さい場合には、Ａ画像部３２ａ、Ａ背景部３２ｂの網点面積率の差が小さいので、両者の色調差（つまり濃淡差）は、視覚による判別が容易である。これにより、文字「Ａ」の判別は、容易である。
【００２５】
・図４（Ｂ１）：透明光沢層３３
一方、透明光沢層３３は、可視光透過性が高いため、Ｂ画像部３３ａ、Ｂ背景部３３ｂの明暗差（つまり色調差）を判別することが困難である。これにより、文字「Ｂ」の判別は、困難である。
【００２６】
・図４（Ｃ１）：情報担持スレッド３
これらの結果、情報担持スレッド３の全体を観察すると、光輝層３２により表現される文字「Ａ」の判別が容易であり、一方、透明光沢層３３により表現される文字Ｂの判別が困難である。これにより、拡散反射領域θ１では、観察者は、文字「Ａ」を読み取ることができるが、文字「Ｂ」を読み取ることができない。
【００２７】
（正反射領域θ２での見え方）
・図４（Ａ２）：光輝層３２
正反射領域θ２では、観察者の視点に届く光は、光源からの光が光輝層３２で直接的に反射したものである。このため、正反射領域θ２の視点に届く反射光量は、拡散反射領域θ１に比較すると、極端に大きい。
反射光量が極端に大きい場合には、Ａ画像部３２ａ、Ａ背景部３２ｂの色調差（つまり濃淡差）は、視覚による判別が困難である。これにより、文字「Ａ」の判別は、困難である。
【００２８】
・図４（Ｂ２）：透明光沢層３３
一方、透明光沢層３３は、透明なため、透明光沢層３３の反射光量は、光輝層３２の反射光量に比較すると、小さい。
このような場合には、Ｂ画像部３３ａ、Ｂ背景部３３ｂの反射光量の差による明暗差（つまり色調差）は、視覚による判別が容易である。これにより、文字「Ｂ」の判別は、容易である。
【００２９】
・図４（Ｃ２）：情報担持スレッド３
これらの結果、情報担持スレッド３の全体を観察すると、光輝層３２により表現される文字「Ａ」の判別が困難であり、一方、透明光沢層３３により表現される文字Ｂの判別が容易である。これにより、拡散反射領域θ１では、観察者は、文字「Ａ」を読み取ることができないが、文字「Ｂ」を読み取ることができる。
【００３０】
このように、情報担持スレッド３は、観察角度に応じた文字を判別できることにより、文字「Ａ」のみを判別可能な観察態様と、文字「Ｂ」のみを判別可能な観察態様とを有する。このため、観察される角度を変えていくと、判別可能な文字が切り替わる（図４の矢印♯１参照）。これにより、セキュリティ用紙１は、真贋判定できる。
なお、詳細な説明は省略するが、情報担持スレッド３は、観察角度を一定にした状態で光源の光の照射角度を変えた場合にも、光の照射角度に応じた文字を観察できる。この場合にも、光源の光の照射角度を変えていくと、判別可能な文字が切り替わる。
【００３１】
以上説明したように、本実施形態によると、以下の効果を有する。
（１）情報担持スレッド３は、拡散反射領域θ１では光輝層３２の文字Ａを判別でき、一方、正反射領域θ２では透明光沢層３３の文字Ｂを判別できる。セキュリティ用紙１は、この情報担持スレッド３が基紙２に抄きこまれているので、セキュリティ効果が高い。
また、情報担持スレッド３は、表出部４、被覆部５を備える。このような窓開きのセキュリティ用紙１は、偽造されにくいので、セキュリティ効果を一層向上できる。
（２）情報担持スレッド３は、ホログラムスレッド等の高コストな部材が不要であるので、低コストである。このため、セキュリティ用紙１は、低コストである。
【００３２】
（第２実施形態）
次に、本発明の第２実施形態について説明する。
なお、以下の説明及び図面において、前述した第１実施形態と同様の機能を果たす部分には、同一の符号又は末尾に同一の符号を適宜付して、重複する説明を適宜省略する。
図５は、第２実施形態のセキュリティ用紙２０１の表出部４近傍の断面図（図２（Ａ）に相当する図）である。
【００３３】
情報担持スレッド２０３は、ベース層２３１、透明光沢層２３３、光輝層２３２が、上側Ｚ２から下側Ｚ１に、この順番で積層されている。
ベース層２３１は、透明である。
【００３４】
Ｂ画像部、Ｂ背景部（図３（Ｂ）参照）を有する透明光沢層２３３は、ベース層２３１の下面に、透明インキを印刷することにより形成される。印刷内容は、裏表が逆になるように反転させる。つまり、第１実施形態のＢ画像部、Ｂ背景部を、左右対称にしたものを、ベース層２３１の下面に印刷する。
Ａ画像部、Ａ背景部（図３（Ａ）参照）を有する光輝層２３２は、透明光沢層２３３の下面に、光沢インキを印刷することにより形成される。光輝層２３２の印刷内容も、透明光沢層２３３と同様に、反転させる。
情報担持スレッド２０３は、ベース層２３１が上側Ｚ２になるように、基紙２に抄きこまれる。
【００３５】
セキュリティ用紙２０１の情報担持スレッド２０３を上面側から観察すると、透明光沢層２３３の印刷内容は、光が透明なベース層２３１を透過することにより、視認できる。この印刷内容は、反転されたものがベース層２３１の下面に印刷されているので、上面側から観察すると、その正像を視認できる。
また、光輝層２３２の印刷内容は、光が透明な透明光沢層２３３及びベース層２３１を透過することにより、視認できる。この印刷内容は、透明光沢層２３３と同様に、その正像を視認できる。
情報担持スレッド２０３の観察態様は、第１実施形態と同様である。すなわち、拡散反射領域θ１において文字Ａを判別でき、一方、正反射領域θ２において文字Ｂを判別できる（図４参照）。
【００３６】
以上説明したように、本実施形態のセキュリティ用紙２０１のベース層２３１は、透明光沢層２３３、光輝層２３２よりも上側Ｚ２に、積層される。これにより、透明光沢層２３３、光輝層２３２を、汚損等から保護できる。
【００３７】
（第３実施形態）
次に、本発明の第３実施形態について説明する。
図６は、第３実施形態のセキュリティ用紙３０１の表出部４近傍の断面図（図２（Ａ）に相当する図）である。
情報担持スレッド３０３は、ベース層３３１の上側Ｚ２に透明光沢層３３３が積層され、また、ベース層３３１の下側Ｚ１に光輝層３３２が積層されている。
ベース層３３１は、透明である。
【００３８】
Ｂ画像部、Ｂ背景部（図３（Ｂ）参照）を有する透明光沢層３３３は、ベース層３３１の上面に、透明インキを印刷することにより形成される。
Ａ画像部、Ａ背景部（図３（Ａ）参照）を有する光輝層３３２は、ベース層３３１の下面に、光沢インキを印刷することにより形成される。この印刷内容は、反転させる。
情報担持スレッド３０３は、透明光沢層３３３が上側Ｚ２になるように、基紙２に抄きこまれる。
【００３９】
セキュリティ用紙３０１の情報担持スレッド３０３を上面側から観察すると、光輝層３３２の印刷内容は、露出しているので、視認できる。
また、光輝層３３２の印刷内容は、光が透明なベース層３３１及び透明光沢層３３３を透過することにより、視認できる。この印刷内容は、第２実施形態と同様に、その正像を視認できる。
情報担持スレッド３０３の観察態様は、第１、第２実施形態と同様である。
【００４０】
以上説明したように、本実施形態のセキュリティ用紙３０１のベース層３３１は、光輝層３３２よりも上側Ｚ２に、積層される。これにより、光輝層３３２を、汚損等から保護できる。
また、光輝層３３２、透明光沢層３３３の印刷順序は、限定されない。このため、製造上の都合がよい。
さらに、光輝層３３２と透明光沢層３３３との間には、ベース層３３１が積層されている。このため、光輝層３３２と透明光沢層３３３とは、接していない。これにより、光輝層３３２のインキに含まれる溶剤と透明光沢層３３３のインキに含まれる溶剤とが化学的に影響等するものであっても、これらのインキを使用できる。
【００４１】
以上、本発明の実施形態について説明したが、本発明は前述した実施形態に限定されるものではなく、種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態は、適宜組み合わせて用いることもできるが、詳細な説明は省略する。
【符号の説明】
【００４２】
１，２０１，３０１  セキュリティ用紙
２  基紙
３，３０３，３０３  情報担持スレッド
４  表出部
５  被覆部
３１，２３１，３３１  ベース層
３２，２３２，３３２  光輝層
３２ａ  Ａ画像部
３２ｂ  Ａ背景部
３３，２３３，３３３  透明光沢層
３３ａ  Ｂ画像部
３３ｂ  Ｂ背景部
【図１】
2016031450.tif 000003
【図２】
2016031450.tif 000004
【図３】
2016031450.tif 000005
【図４】
2016031450.tif 000006
【図５】
2016031450.tif 000007
【図６】
2016031450.tif 000008
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
樹脂シート材であるベース層と、第１の画像を有する光輝層と、前記光輝層よりも上側に積層され第２の画像を有する透明光沢層とを有する真贋判定用の画像担持体と、
前記画像担持体を保持する保持層とを備え、
前記画像担持体は、
前記保持層に抄きこまれており、
前記保持層から表出した表出部と、前記保持層に覆われた被覆部とを有し、
前記ベース層は、
透明であり、
前記透明光沢層よりも上側に積層されていること、
を特徴とする積層体。
【請求項２】
（削除）
【請求項３】
（削除）
【請求項４】
（削除）
【請求項５】
（削除）
【請求項６】
（削除）
【請求項７】
樹脂シート材であるベース層と、第１の画像を有する光輝層と、前記光輝層よりも上側に積層され第２の画像を有する透明光沢層とを有する真贋判定用の画像担持体と、
前記画像担持体を保持する保持層とを備え、
前記画像担持体は、
前記保持層に抄きこまれており、
前記保持層から表出した表出部と、前記保持層に覆われた被覆部とを有し、
前記ベース層は、
透明であり、
前記光輝層と前記透明光沢層との間に積層されていること、
を特徴とする積層体。
【請求項８】
樹脂シート材であるベース層と、第１の画像を有する光輝層と、前記光輝層よりも上側に積層され第２の画像を有する透明光沢層とを有する真贋判定用の画像担持体と、
前記画像担持体を保持する保持層とを備え、
前記画像担持体は、
前記保持層に抄きこまれており、
前記保持層から表出した表出部と、前記保持層に覆われた被覆部とを有すること、
を特徴とする積層体。
【請求項９】
請求項８に記載の積層体において、
前記第１の画像及び前記第２の画像のうち、前記第１の画像のみを判別可能な観察態様と、前記第２の画像のみを判別可能な観察態様とを有すること、
を特徴とする積層体。
【請求項１０】
請求項８に記載の積層体において、
前記ベース層は、前記光輝層よりも下側に積層されていること、
を特徴とする積層体。
【国際調査報告】
2016031450.tif 000009
2016031450.tif 000010
2016031450.tif 000011